(57)【特許請求の範囲】
【請求項１】
複数種類の光ディスクの記録再生が可能な情報記録再生装置において、
前記光ディスクに照射するレーザー光を出射する半導体レーザーと前記レーザー光を前記光ディスク上に集光させる対物レンズとを有し、前記光ディスクで反射した戻り光を検出し、この検出結果から情報信号およびサーボ信号を得る光ピックアップと、
前記対物レンズをその光軸に沿って移動させ、前記光ディスクの戻り光で検出された前記サーボ信号から前記光ディスクの種類を判別するディスク判別手段と、
前記半導体レーザーに高周波信号を重畳して駆動すると共に、前記半導体レーザーの再生レーザーパワーを前記ディスク判別手段の判別結果のディスク種類に応じた強度に制御し、その後前記光ディスクから読み出したディスク種類のデータに応じた前記半導体レーザーの再生レーザーパワーの強度に制御するパワー制御手段と、
前記光ディスクのリードインエリアに記録されている前記光ディスクの種類と前記ディスク判別手段の判別結果が共に同じ書換え可能な多層ディスクの場合は、前記パワー制御手段における再生レーザーパワーの強度を制御することなく、高周波信号の重畳をオンにする制御を行い、前記光ディスクのリードインエリアに記録されている前記光ディスクの種類と前記ディスク判別手段の判別結果が同じ書換え可能な多層ディスクでない場合は、前記光ディスクのリードインエリアに記録されているディスク種類のデータに応じて、前記パワー制御手段における再生レーザーパワーの強度を下げるように制御し、同時に、高周波信号の重畳をオンにする制御を行う高周波重畳制御手段と、
を有することを特徴とする情報記録再生装置。
【請求項２】
複数種類の光ディスクの記録再生が可能な情報記録再生装置において、
前記光ディスクに照射するレーザー光を出射する半導体レーザーと前記レーザー光を前記光ディスク上に集光させる対物レンズとを有し、前記光ディスクで反射した戻り光を検出し、この検出結果から情報信号およびサーボ信号を得る光ピックアップと、
前記対物レンズをその光軸に沿って移動させ、前記光ディスクの戻り光で検出された前記サーボ信号から前記光ディスクの種類を判別するディスク判別手段と、
前記半導体レーザーに高周波信号を重畳して駆動すると共に、前記半導体レーザーの再生レーザーパワーを前記ディスク判別手段の判別結果のディスク種類に応じた強度に制御し、その後前記光ディスクから読み出したディスク種類のデータに応じた前記半導体レーザーの再生レーザーパワーの強度に制御するパワー制御手段と、
前記ディスク判別手段の判別結果が書換え可能な多層ディスクの場合は、前記光ディスクの回転数を所定の回転数より高回転数にし、その後前記パワー制御手段が前記半導体レーザーの再生レーザーパワーを前記光ディスクの前記リードインエリアから読み出したディスク種類のデータに応じた強度に制御した後に、前記光ディスクの回転数を所定の回転数に戻す回転数制御手段と、
を有することを特徴とする情報記録再生装置。
【発明の詳細な説明】
【技術分野】
【０００１】
本発明は、光ディスクを用いる情報記録再生装置に係り、特に、光ディスクの種類を判別して再生レーザーパワーを制御する手段を備えた情報記録再生装置に関する。
【背景技術】
【０００２】
近年、光ディスクを記録媒体に用いる情報記録再生装置では、１台の装置で種々のタイプの光ディスクが使用可能になっているものが多い。光ディスクの種類としては、例えばＤＶＤ（Digital Versatile Disc）には、再生専用で反射層が１層と２層ディスク、一度だけ記録可能なＤＶＤ−Ｒ（DVD-Recordable）の１層と２層ディスク、何度も書換え可能なＤＶＤ−ＲＷ（DVD-Rewritable）の１層と２層ディスク、書換え可能な別のフォーマットのＤＶＤ−ＲＡＭ（Random Access Memory）等がある。更にこれらと仕様の異なる一度だけ記録可能なＤＶＤ＋Ｒや書換え可能なＤＶＤ＋ＲＷもある。また最近では、反射層が上記２層にとどまらず３層以上の多層ディスクも提案されている。
【０００３】
この他光ディスクには、記録容量がＤＶＤと大幅に異なるＣＤ（Compact Disc）やＢＤ（Blu-Ray）、ＨＤ・ＤＶＤ（High Definition DVD）等もあり、これらの光ディスクも使用できるようになっている多機能な記録再生装置がある。
このような種々の光ディスクを用いて記録再生を行う情報記録再生装置においては、新たにディスクトレイに装填されたディスクがどの種類の光ディスクであるかを短時間に判別し、判別された光ディスクの仕様に応じた設定にすばやく切り替えられることが望まれている。
【０００４】
光ディスクがディスクトレイに装填された直後は、そのディスクに合った設定がされていないので、光ピックアップは光ディスクから記録されている信号を再生してディスク種類を読み取ることができない。そこで、この時点で光ディスクの種類を判別する方法としては、光ディスクの反射層に光ビームを照射し、反射した戻り光を光検出器で電気信号として検出して、この検出信号の特徴からディスクの種類を判別する方法が従来から多く採用されている（例えば、特許文献１参照）。
【０００５】
最初に、従来行われている光ディスクの判別方法を簡単に説明する。
光ディスクは、情報が記録される反射層とその反射層上に形成された透明基板を有しており、この透明基板の厚さ及び反射層の物理的特性の違いによって種々のタイプに分類されているので、このような透明基板の厚さと反射層の物理的特性の違いを検出してディスクを判別する方法が用いられる。具体的には、光ビームを集光させるための対物レンズを光ディスク表面に向けて光軸方向に移動させ、そのときに得られる反射光の検出信号のレベルを弁別して行う。
【０００６】
まず、透明基板の厚さを判別するために、対物レンズを光ディスクに向けて光軸方向に所定の一定速度で移動させ、透明基板表面に光ビームが焦点を結んだ位置で発生する反射光の強度が大になる検出信号を弁別し、更に対物レンズを進めて、次に反射層に光ビームが焦点を結んだ位置で発生する反射光の強度が大になる検出信号を弁別し、その間にかかった対物レンズの移動時間から透明層の厚さを判別する。このとき、更に対物レンズを進めて、反射層が２ヶ所で検出されたときは２層ディスクと判断する。更に、上記反射層に光ビームが焦点を結んだときの反射光の検出信号レベルから反射層の反射率等の物理的特性を判別し、これらの判別結果から光ディスクの種類を特定する。
こうして特定された光ディスクの種類に応じて諸設定を行うことで、光ディスクから信号の読み出しが可能となるので、次の段階ではディスク上に記録されているディスク情報を再生して正確なディスク種類を確定することができるようになる。
【０００７】
一方、光ディスクに照射する光ビームを発生する半導体レーザーには、信号の読み出し時に光ディスクからの反射光が、光源である半導体レーザーに戻ることにより、発光した光ビームに異常なノイズが発生するいわゆるスクープノイズといわれる現象があって、これが原因で再生信号に雑音が入り、読み出しエラーが起きるという問題がある。
このスクープノイズを低減する手段として、従来、半導体レーザーを発光させる駆動信号に高周波信号を重畳させ、光ビームを高周波が重畳した状態の発光にする方法が広く用いられている（例えば、特許文献２参照）。
【特許文献１】特開平１１−２８３３１９号公報
【特許文献２】特開２００２−３３５０４１号公報
【発明の開示】
【発明が解決しようとする課題】
【０００８】
従来の光ディスクで反射した戻り光を使ってディスクを判別する方法では、ディスクの傷、汚れ、面ぶれ、偏芯、半導体レーザーのパワー変動、温度特性変化等のさまざまな要因により戻り光の検出信号が劣化し、誤ったディスク判別を行うことが多い欠点を持っていた。
【０００９】
一般に、ＤＶＤ−ＲＷの２層ディスクのような多層形態のディスクは、反射層における光ビームの反射率が低くなるため、記録されている信号を読み出す時には再生レーザーパワーを高くし、強い光ビームを照射することが行われるが、このために、例えば、書換え可能な１層ディスクを書換え可能な２層ディスクと誤って判別したときには、再生レーザーパワーの高い光ビームが１層ディスクに照射される場合が生じてしまう。このとき、スクープノイズ低減の目的で、半導体レーザーの駆動信号に高周波信号が重畳されていると、この重畳された高周波信号の波形ピーク点では、よりパワーの高い光ビームとなるので、この光ビームが照射された書換え可能な１層ディスクでは、既記録部分が誤消去されてしまうという問題があった。
【００１０】
本発明は、このような従来の問題点に鑑みなされたものであり、光ディスクで反射した戻り光を検出して行う光ディスクの種類判別で、書換え可能な１層ディスクを書換え可能な２層ディスクのように再生レーザーパワーの高い設定が必要な光ディスクと誤って判別した場合においても、照射される高い再生レーザーパワーで既記録部分の誤消去を起こすことのない情報記録再生装置を提供することを目的とする。
【課題を解決するための手段】
【００１１】
本発明は、上記課題を解決する手段として以下の（１）（２）に記載の構成からなる。すなわち、
（１）複数種類の光ディスクの記録再生が可能な情報記録再生装置において、
前記光ディスクに照射するレーザー光を出射する半導体レーザーと前記レーザー光を前記光ディスク上に集光させる対物レンズとを有し、前記光ディスクで反射した戻り光を検出し、この検出結果から情報信号およびサーボ信号を得る光ピックアップと、
前記対物レンズをその光軸に沿って移動させ、前記光ディスクの戻り光で検出された前記サーボ信号から前記光ディスクの種類を判別するディスク判別手段と、
前記半導体レーザーに高周波信号を重畳して駆動すると共に、前記半導体レーザーの再生レーザーパワーを前記ディスク判別手段の判別結果のディスク種類に応じた強度に制御し、その後前記光ディスクから読み出したディスク種類のデータに応じた前記半導体レーザーの再生レーザーパワーの強度に制御するパワー制御手段と、
前記光ディスクのリードインエリアに記録されている前記光ディスクの種類と前記ディスク判別手段の判別結果が共に同じ書換え可能な多層ディスクの場合は、前記パワー制御手段における再生レーザーパワーの強度を制御することなく、高周波信号の重畳をオンにする制御を行い、前記光ディスクのリードインエリアに記録されている前記光ディスクの種類と前記ディスク判別手段の判別結果が同じ書換え可能な多層ディスクでない場合は、前記光ディスクのリードインエリアに記録されているディスク種類のデータに応じて、前記パワー制御手段における再生レーザーパワーの強度を下げるように制御し、同時に、高周波信号の重畳をオンにする制御を行う高周波重畳制御手段と、
を有することを特徴とする情報記録再生装置を提供する。
（２）複数種類の光ディスクの記録再生が可能な情報記録再生装置において、
前記光ディスクに照射するレーザー光を出射する半導体レーザーと前記レーザー光を前記光ディスク上に集光させる対物レンズとを有し、前記光ディスクで反射した戻り光を検出し、この検出結果から情報信号およびサーボ信号を得る光ピックアップと、
前記対物レンズをその光軸に沿って移動させ、前記光ディスクの戻り光で検出された前記サーボ信号から前記光ディスクの種類を判別するディスク判別手段と、
前記半導体レーザーに高周波信号を重畳して駆動すると共に、前記半導体レーザーの再生レーザーパワーを前記ディスク判別手段の判別結果のディスク種類に応じた強度に制御し、その後前記光ディスクから読み出したディスク種類のデータに応じた前記半導体レーザーの再生レーザーパワーの強度に制御するパワー制御手段と、
前記ディスク判別手段の判別結果が書換え可能な多層ディスクの場合は、前記光ディスクの回転数を所定の回転数より高回転数にし、その後前記パワー制御手段が前記半導体レーザーの再生レーザーパワーを前記光ディスクの前記リードインエリアから読み出したディスク種類のデータに応じた強度に制御した後に、前記光ディスクの回転数を所定の回転数に戻す回転数制御手段と、
を有することを特徴とする情報記録再生装置を提供する。
【発明の効果】
【００１２】
本発明に係る請求項１の構成により、光ディスクで反射した戻り光を使ったディスク判別で、書換え可能な１層ディスクを多層ディスクと誤判別し、信号読み出し用の再生レーザー光の発光パワーを高く設定した場合においても、その後に光ディスクのリードインエリアに記録されているディスク種類のデータの読み出しができるまでは、半導体レーザーに加える高周波信号の重畳をオフするようにしているので、従来の高周波信号の重畳をオンしていることによる既記録データを誤消去する問題を回避できる。
更に、請求項２の構成では、上記と同様に書換え可能な１層ディスクを多層ディスクと誤判別し、再生レーザーパワーを高く設定すると共に、更に高周波信号を重畳した場合においても、その後に光ディスクのリードインエリアに記録されているディスク種類のデータの読み出しができるまでは、光ディスクの回転数を高回転にすることにより、高周波信号が重畳された再生レーザー光の発光パワーの単位面積あたりの照射時間が短くなるので既記録データを消去することがなく、従来の既記録データを誤消去する問題を回避できる。更に、再生レーザー光に高周波信号が重畳されていることによりスクープノイズが低減されるので、リードインエリアのデーターの読み出しが容易になる。
【発明を実施するための最良の形態】
【００１３】
以下、本発明の実施形態に係る情報記録再生装置について図面を参照して説明する。
図１は、本発明に係る情報記録再生装置の一実施例を示すブロック図である。図２は、図１に示す情報記録再生装置の第１実施例の動作を説明するフローチャートである。図３は、図１に示す情報記録再生装置の第２実施例の動作を説明するフローチャートである。
【００１４】
まず、図１を用いて本発明に係る情報記録再生装置の構成を説明する。
以下に用いられる光ディスクは、主として書換え可能な１層若しくは多層の光ディスクであり、ディスクの種類を示すデータが記録されているリードインエリアを有する。
情報記録再生装置１は、図示しないディスクトレイに装填された着脱可能な光ディスク４を回転するスピンドルモータ５と、スピンドルモータ５の回転を制御する回転数制御部１４と、光ディスク４に情報を記録又は光ディスク４を再生して情報信号、サーボ信号（トラッキングエラー信号及びフォーカスエラー信号）を得る光ピックアップ６と、光ピックアップ６で再生して得られた情報信号、サーボ信号を増幅する増幅器１０と、増幅器１０で増幅された情報信号を２値化する信号処理部１１と、この信号処理部１１で２値化した各信号をデコードするデコーダ１２とから構成される。
【００１５】
更に、情報記録再生装置１は、デコーダ１２でデコードされた信号を一時格納し、又は光ディスク４への記録を行うためのデータを一時格納するデータバッファ１３と、増幅器１０で増幅されたサーボ信号に基づいて、光ピックアップ６の制御を行うサーボ部１５と、増幅器１０で増幅された情報信号、サーボ信号に基づいて、光ディスク４のディスクの種類を判別するディスク判別部１６と、上記した各部の全体制御を行うＣＰＵ１７とから構成される。
【００１６】
更にまた、情報記録再生装置１は、データバッファ１３に一時格納された光ディスク４への記録を行うためのデータをエンコードするエンコーダ９と、エンコーダ９でエンコードされたエンコード信号に基づいて、光ピックアップ６の半導体レーザー（不図示）から出射されるレーザー光のパワーを制御すると共にレーザー光に重畳させる高周波信号を生成するパワー制御部８と、パワー制御部８で生成する高周波信号を半導体レーザー（不図示）から出射されるレーザー光に重畳させるか否かの選択信号を出力する高周波重畳制御部７とから構成されている。
なお、情報記録再生装置１の入出力信号は、入出力制御部２を介して入出力端子３により外部の機器と接続される。
【００１７】
次に図２を併用して、本発明に係る情報記録再生装置１の第１実施例を説明する。
図２は光ディスク４が新たにディスクトレイに装填されてからディスク判別および起動処理が完了するまでに必要な動作のステップを示している。
まず、光ディスク４が新たにディスクトレイに装填されると、回転数制御部１４、サーボ部１５、増幅器１０、信号処理部１１、データバッファ１３、パワー制御部８、ディスク判別部１６、ＣＰＵ１７を予め決めてある初期値に設定する（ステップＳ１）。
【００１８】
次に、回転数制御部１４の制御によりスピンドルモータ５を所定の回転数で回転させると同時に、パワー制御部８から制御信号を出力して光ピックアップ６内の半導体レーザー（不図示）からレーザー光を出射させる。次に、サーボ部１５から光ピックアップ６に制御信号を出力し、光ピックアップ６内の対物レンズ（不図示）を光ディスク４に向けて移動する。
【００１９】
光ピックアップ６内の半導体レーザー（不図示）から出射されるレーザー光を光ディスク４の反射層に照射し、ここで反射した戻り光を光ピックアップ６内の光検出器（不図示）で検出して、ここで光電変換された検出信号からフォーカス信号を得て増幅器１０で増幅する。そして増幅器１０で増幅されたフォーカス信号に基づき、ディスク判別部１６は前記した従来のディスク判別方法を用いて、光ディスク４の透明基板の厚さや反射層の数、物理的特性を算出してディスクの種類を判別する（ステップＳ２）。
次に、ＣＰＵ１７はディスク判別部１６のディスク判別結果が書換え可能な多層ディスクか否かを判定する（ステップＳ３）。
【００２０】
ステップＳ３でディスク判別の結果が書換え可能な多層ディスクと判定された場合には、高周波重畳制御部７は、レーザー光に重畳する高周波信号をオフの状態とする制御信号をパワー制御部８に出力する。パワー制御部８は、高周波重畳制御部７からの制御信号によりレーザー光の高周波信号の重畳をオフの状態にし、同時に、レーザー光の発光パワーが記録可能な多層ディスクで定められた所定の強さまで上昇するよう光ピックアップ６内の半導体レーザー（不図示）を制御する。（ステップＳ４）。
【００２１】
次に、サーボ部１５の制御により、光ピックアップ６を書換え可能な多層ディスクに応じた所定の設定になるようサーボ調整を行う（ステップＳ６）。
【００２２】
次に、光ピックアップ６により、光ディスク４のリードインエリア内のコントロールデータまたはプリピットフィジカルデータを再生し、ＣＰＵ１７により、このデータに記録されているディスク種類のデータと上記したディスク判別部１６で光ディスクの種類が書換え可能な多層ディスクと判別された結果とを比較してディスクの種類が一致しているか否かを判定する（ステップＳ７）。
【００２３】
次に、ステップＳ７の判定でリードインエリアに記録されているディスク種類のデータとディスク判別の結果によるディスク種類とが一致した場合には、高周波重畳制御部７はレーザー光に重畳する高周波信号をオンの状態とする制御信号をパワー制御部８に出力し、パワー制御部８は、高周波重畳制御部７からの制御信号により高周波信号が重畳するように半導体レーザー（不図示）から出射されるレーザー光を制御する（ステップＳ８）。
【００２４】
次に、信号処理部１１でディスク種類に応じた所定の設定になるよう信号調整を行い、更に光ディスク４のリードインエリアから欠陥管理情報を読み込んでデータバッファ１３に格納する。こうして光ディスクの種類判別を含む起動処理を終了し、光ディスク４を記録再生スタンバイの状態にする（ステップＳ１１）。
【００２５】
一方、ステップＳ７の判定でリードインエリアに記録されているディスク種類のデータと上記したディスク判別の結果によるディスクの種類とが一致しない場合には、パワー制御部８から半導体レーザー（不図示）に制御信号を出力して、半導体レーザーの発光パワーをリードインエリアに記録されていたディスク種類のデータに応じた再生パワーに下げ、同時に、高周波重畳制御部７からの制御信号により、半導体レーザーから出射されるレーザー光の高周波信号重畳をオンにする（ステップＳ９）。
次に、サーボ部１５により、光ピックアップ６をリードインエリアに記録されているディスク種類に応じた所定の設定になるようサーボ調整を行う（ステップＳ１０）。
次に、前記したステップＳ１１と同様の操作を行い、光ディスク４を記録再生スタンバイの状態にする。
【００２６】
また、ステップＳ３のディスク判別の結果が書換え可能な多層ディスクでなかった場合には、高周波重畳制御部７は、レーザー光に重畳する高周波信号をオンの状態とする制御信号をパワー制御部８に出力し、パワー制御部８は、高周波重畳制御部７からの制御信号によりレーザー光の高周波信号の重畳をオンの状態にし、発光パワーを書換え可能な多層ディスク以外として判別されたディスクに応じた所定の再生パワーで発光するように光ピックアップ６内の半導体レーザー（不図示）を制御する（ステップＳ５）。
次に、ステップＳ６で、サーボ部１５により書換え可能な多層ディスク以外として判別されたディスクに応じた所定のサーボ調整を行う。
【００２７】
次に、ステップＳ７では、ディスク判別の結果に基づいてサーボ調整された光ピックアップ６により光ディスク４のリードインエリアを再生し、このリードインエリアに記録されているディスク種類のデータとディスク判別の結果とが一致するか否かを判定し、一致した場合には、前記と同様に、ステップＳ８で、高周波重畳制御部７からの制御信号をパワー制御部８に出力し、レーザー光の高周波信号重畳をオンにして、次に、ステップＳ１１を経て光ディスク４を記録再生スタンバイの状態にする。
【００２８】
また、ステップＳ７の判定で、ディスク判別の結果と光ディスク４のリードインエリアに記録されているディスク種類のデータとが一致しない場合には、前記と同様に、ステップＳ９で、パワー制御部８から半導体レーザー（不図示）に制御信号を出力し、光ディスク４のリードインエリアに記録されているディスク種類のデータに応じた発光パワーを半導体レーザーから出力させ、同時に、高周波重畳制御部７からの制御信号をパワー制御部８に出力してレーザー光の高周波信号重畳をオンにする。
続いてステップＳ１０で、再度サーボ部１５により、光ピックアップ６をリードインエリアに記録されているディスク種類のデータに応じた所定の設定になるようサーボ調整を行い、次に、ステップＳ１１を経て光ディスク４を記録再生スタンバイの状態にする。
【００２９】
以上詳述したように、本発明に係る情報記録再生装置の第１実施例によれば、光ディスクの種類判別を書換え可能な多層ディスクと誤り、半導体レーザーから出力される発光パワーを高く設定した場合でも、光ディスク４のリードインエリアに記録されているディスク種類のデータの読み出しが終了し、読み出されたディスク種類のデータに応じた発光パワーの設定が行われるまでは、半導体レーザーに加える高周波信号の重畳をオフするようにしているので、従来の高周波信号を重畳していることによる既記録データの誤消去を防止できる。
【００３０】
次に、図３を用いて、本発明に係る情報記録再生装置１の第２実施例を説明する。
図３は光ディスク４が新たにディスクトレイに装填されてからディスク判別および起動処理が完了するまでに必要な第２実施例における動作のステップを示している。
第２実施例は第１実施例の情報記録再生装置の構成と同じであるが、その動作方法が異なる。すなわち、光ディスク４のリードインエリアに記録されているディスク種類のデータの読み出し終了までは光ディスク４の回転数を高速にし、光ディスク４に照射された高周波信号が重畳しているレーザー光の単位面積当りの照射時間を短縮したものであり、それ以外は同様である。
前記第１実施例と同様に、光ディスク４が新たにディスクトレイに装填されると、回転数制御部１４、サーボ部１５、増幅器１０、信号処理部１１、データバッファ１３、パワー制御部８、ディスク判別部１６、ＣＰＵ１７を予め決めてある初期値に設定する（ステップＳ２１）。
【００３１】
次に、回転数制御部１４の制御によりスピンドルモータ５を所定の回転数で回転させると同時に、パワー制御部８から制御信号を出力して光ピックアップ６内の半導体レーザー（不図示）からレーザー光を出射させる。次に、サーボ部１５から光ピックアップ６に制御信号を出力し、光ピックアップ６内の対物レンズ（不図示）を光ディスク４に向けて移動する。
【００３２】
光ピックアップ６内の半導体レーザー（不図示）から出射されるレーザー光を光ディスク４の反射層に照射し、ここで反射した戻り光を光ピックアップ６内の光検出器（不図示）で検出して、ここで光電変換された検出信号からフォーカス信号を得て増幅器１０で増幅する。そして増幅器１０で増幅されたフォーカス信号に基づき、ディスク判別部１６は前記した従来のディスク判別方法を用いて、光ディスク４の透明基板の厚さや反射層の数、物理的特性を算出してディスクの種類を判別する（ステップＳ２２）。
次に、ＣＰＵ１７はディスク判別部１６のディスク判別結果が書換え可能な多層ディスクか否かを判定する（ステップＳ２３）。
【００３３】
ステップＳ２３でディスク判別の結果が書換え可能な多層ディスクと判定された場合には、パワー制御部８は、半導体レーザー（不図示）から出射されるレーザー光に重畳させる高周波信号を出力して、このレーザー光の発光パワーが書換え可能な多層ディスクで定められた所定の強さまで上昇するようにすると共に、回転数制御部１４の制御により、スピンドルモータ５の回転数を所定の高回転数に上昇する（ステップＳ２４）。
【００３４】
次に、サーボ部１５の制御により、光ピックアップ６を書換え可能な多層ディスクに応じた所定の設定になるようサーボ調整を行う（ステップＳ２５）。
【００３５】
次に、光ピックアップ６により、光ディスク４のリードインエリア内のコントロールデータまたはプリピットフィジカルデータを再生し、ＣＰＵ１７により、このデータに記録されているディスク種類のデータと上記したディスク判別部１６で光ディスクの種類が書換え可能な多層ディスクと判別された結果とを比較してディスクの種類が一致しているか否かを判定する（ステップＳ２６）。
【００３６】
次に、ステップＳ２６の判定でリードインエリアに記録されているディスク種類のデータとディスク判別の結果によるディスク種類とが一致した場合には、回転数制御部１４の制御により、スピンドルモータ５の回転数を高速回転から所定の回転数に戻し（ステップＳ２７）、次に、再度サーボ部１５の制御により、光ピックアップ６を書換え可能な多層ディスクに応じた所定の設定になるようサーボ調整を行う（ステップＳ２８）。
【００３７】
次に、信号処理部１１でディスク種類に応じた所定の設定になるよう信号調整を行い、更に、光ディスク４のリードインエリアから欠陥管理情報を読み込んでデータバッファ１３に格納する。こうして光ディスクの種類判別を含む起動処理を終了し、光ディスク４を記録再生スタンバイの状態にする（ステップＳ２９）。
【００３８】
一方、ステップＳ２６の判定でリードインエリアに記録されているディスク種類のデータと上記したディスク判別の結果によるディスクの種類とが一致しない場合には、パワー制御部８から半導体レーザー（不図示）に制御信号を出力して、半導体レーザーの発光パワーをリードインエリアに記録されているディスク種類のデータに応じた再生パワーに下げ（ステップＳ３０）。次に前記と同様に、ステップＳ２７で、回転数制御部１４の制御により光ディスクの回転数を高速回転から所定の回転数に戻し、次に、ステップＳ２８で、サーボ部１５により光ピックアップ６をリードインエリアに記録されているディスク種類に応じた所定の設定になるようサーボ調整を行う。
【００３９】
次に、ステップＳ２９で、信号処理部１１でディスク種類に応じた所定の設定になるよう信号調整を行い、更に光ディスク４のリードインエリアから欠陥管理情報を読み込んでデータバッファ１３に格納する。こうして光ディスクの種類判別を含む起動処理を終了し、光ディスク４を記録再生スタンバイの状態にする。
【００４０】
また、ステップＳ２３のディスク判別の結果が書換え可能な多層ディスクでなかった場合には、パワー制御部８から半導体レーザー（不図示）に制御信号を出力して、半導体レーザーの発光パワーを書換え可能な多層ディスク以外として判別されたディスクに応じた所定の再生パワーに設定し、同時に回転数制御部１４の制御により光ディスク４の回転数を所定の回転数にする（ステップＳ３１）。                                                                    
【００４１】
次に、サーボ部１５により書換え可能な多層ディスク以外として判別されたディスクに応じた所定のサーボ調整を行う（ステップＳ３２）。
次に、ディスク判別の結果に基づいてサーボ調整された光ピックアップ６により光ディスク４のリードインエリアを再生し、このリードインエリアに記録されているディスク種類のデータとディスク判別の結果とが一致するか否かを判定し（ステップＳ３３）、一致した場合には、ステップＳ２９にて、前記と同様に記録再生スタンバイの状態にする。
【００４２】
また、ステップＳ３３の判定で、ディスク判別の結果と光ディスク４のリードインエリアに記録されているディスク種類のデータとが一致しない場合には、パワー制御部８から半導体レーザー（不図示）に制御信号を出力して、光ディスク４のリードインエリアに記録されているディスク種類のデータに応じた発光パワーを半導体レーザーから出力させる（ステップＳ３４）。
続いてステップＳ２８で、再度サーボ部１５により、光ピックアップ６をリードインエリアに記録されているディスク種類のデータに応じた所定の設定になるようサーボ調整を行い、次に、ステップＳ２９を経て起動処理を終了し、光ディスク４を記録再生スタンバイの状態にする。
【００４３】
以上詳述したように、本発明に係る情報記録再生装置の第２実施例によれば、光ディスクの種類判別を書換え可能な多層ディスクと誤り、半導体レーザーから出力される発光パワーを高く設定すると共に、高周波信号を重畳した場合においても、光ディスク４のリードインエリアに記録されている光ディスク種類のデータの読み出しが終了し、読み出されたディスク種類のデータに応じた発光パワーの設定が行われるまでは、ディスク４の回転数を高回転にすることにより、高周波信号の重畳した再生レーザーパワーの単位面積あたりの照射時間を短くしているので、従来の高周波信号を重畳していることによる既記録データの誤消去を防止できる。
【００４４】
更に第２実施例では、リードインエリアに記録されているディスク種類のデータを読み出す時のレーザー光には高周波信号が重畳されているので、スクープノイズが低減され誤りの少ない状態で読み出すことができる特徴を有する。
しかしながら、第２実施例では、光ディスク４の回転数を変化させる動作が入るために、記録再生スタンバイの状態になるまでが遅くなる欠点がある。こうしたことから、通常は第１実施例の動作を行い、第１実施例でリードインエリアの読み出しが所定時間経過してもできないような光ディスクが装填された場合に、第２実施例に切り替える動作にするとリードインエリアのデータを読み出せる可能性が高くなりディスク判別の信頼性が向上する。
【図面の簡単な説明】
【００４５】
【図１】本発明に係る情報記録再生装置の一実施例を示すブロック図である。
【図２】図１に示す情報記録再生装置の第１実施例の動作を説明するフローチャートである。
【図３】図１に示す情報記録再生装置の第２実施例の動作を説明するフローチャートである。
【符号の説明】
【００４６】
１…情報記録再生装置
２…入出力制御部
３…入出力端子
４…光ディスク
５…スピンドルモータ
６…光ピックアップ
７…高周波重畳制御部（高周波重畳制御手段）
８…パワー制御部（パワー制御手段）
９…エンコーダ
１０…増幅器
１１…信号処理部
１２…デコーダ
１３…データバッファ
１４…回転数制御部（回転数制御手段）
１５…サーボ部
１６…ディスク判別部（ディスク判別手段）
１７…ＣＰＵ
【図１】
0004483859.tif 000002
【図２】
0004483859.tif 000003
【図３】
0004483859.tif 000004